(57)【要約】【課題】  規格改正等で正式字形が変更された文字の新字体、旧字体情報をユーザに提供出来るシステムや装置、方法を提供する。【解決手段】入替文字提供サーバ２０は、字形が変更された各文字について、文字コードと新字形情報と旧字形情報とを対応付けて記憶する入替文字データベース記憶部３０、検索要求を受信すると、それに伴う文字コードで入替文字データベース記憶部３０を検索し、対応する新旧字形情報を入替候補文字情報として返信する手段とを備え、提供者端末１０は、ユーザより受けたキーとなる文字情報を入力して文字コードを指定し、入替文字提供サーバ２０に検索要求する手段、検索結果の入替候補文字情報を表示し、確認されると入替候補文字情報を印刷させる手段を備える。【選択図】      図１
2005242434.tif 000002
【特許請求の範囲】
【請求項１】
入替文字提供サーバと、これに通信接続された提供者端末と、提供者端末に通信接続或いは接続された印刷装置を含み、ユーザよりキーとなる文字情報を受けその入替文字情報を提供する入替文字提供サービスシステムであって、
前記入替文字提供サーバは、字形が変更された各文字について、文字コードと新字形情報と旧字形情報とを対応付けて記憶する入替文字データベース記憶部と、検索要求を受信すると、それに伴う文字コードで前記入替文字データベース記憶部を検索し、対応する新旧字形情報を入替候補文字情報として返信する手段とを備え、
前記提供者端末は、ユーザより受けたキーとなる文字情報を入力して文字コードを指定し、前記入替文字提供サーバに検索要求する手段と、検索結果の入替候補文字情報を表示し、確認されると入替候補文字情報を印刷させる手段を備えたことを特徴とする入替文字提供サービスシステム。
【請求項２】
入替文字提供サーバと、これに通信接続された提供者端末と、提供者端末に通信接続或いは接続された印刷装置を含み、ユーザよりキーとなる文字情報を受け、その入替文字及び形状変更部首が前記入替文字と共通している文字情報を提供する入替文字提供サービスシステムであって、
前記入替文字提供サーバは、字形が変更された各文字について、文字コードと新字形情報と旧字形情報とを対応付け、且つ、変更された部首が同じ文字同士をグループ化して記憶する入替文字データベース記憶部と、検索要求に伴う文字コードで前記入替文字データベース記憶部を検索し、対応する新旧字形情報を入替候補文字として、更に  前記文字コードが属するグループの文字の新旧字形を含む情報を、同類の入替文字情報として返信する手段とを備え、
前記提供者端末は、ユーザより受けたキーとなる文字情報を入力して文字コードを指定し、入替文字提供サーバに検索要求する手段と、検索結果の入替候補文字及び同類の入替文字情報を表示し、確認されると入替候補文字情報及びそれらと同類の入替文字情報を印刷させる手段を備えたことを特徴とする入替文字提供サービスシステム。
【請求項３】
入替文字提供サーバと、これに通信接続された提供者端末と、提供者端末に通信接続或いは接続された印刷装置と、提供者端末とネットワークで接続されたユーザ端末を含み、ユーザよりキーとなる文字情報を受けその入替文字情報を提供する入替文字提供サービスシステムであって、
前記入替文字提供サーバは、字形が変更された各文字について、文字コードと新字形情報と旧字形情報とを対応付けて記憶する入替文字データベース記憶部と、検索要求を受信すると、それに伴う文字コードで前記入替文字データベース記憶部を検索し、対応する新旧字形情報を入替候補文字情報として返信する手段とを備え、
前記提供者端末は、前記ユーザ端末から受信したキーとなる文字情報を取得して、或いはユーザより受けたキーとなる文字情報を入力して、文字コードを指定し、前記入替文字提供サーバに検索要求する手段と、検索結果の入替候補文字情報を表示し、確認されると、ユーザ端末に入替候補文字情報を送信し、或いは入替候補文字情報を印刷させる手段を備えたことを特徴とする入替文字提供サービスシステム。
【請求項４】
入替文字提供サーバと、これに通信接続された提供者端末と、提供者端末に通信接続或いは接続された印刷装置と、提供者端末とネットワークで接続されたユーザ端末を含み、ユーザよりキーとなる文字情報を受け、その入替文字及び形状変更部首が前記入替文字と共通している文字情報を提供する入替文字提供サービスシステムであって、
前記入替文字提供サーバは、字形が変更された各文字について、文字コードと新字形情報と旧字形情報とを対応付け、且つ、変更された部首が同じ文字同士をグループ化して記憶する入替文字データベース記憶部と、検索要求に伴う文字コードで前記入替文字データベース記憶部を検索し、対応する新旧字形情報を入替候補文字として、更に  前記文字コードが属するグループの文字の新旧字形を含む情報を、同類の入替文字情報として返信する手段とを備え、
前記提供者の端末は、前記ユーザ端末からキーとなる文字情報を取得して、或いはユーザより受けたキーとなる文字情報を入力して、文字コードを指定し、入替文字提供サーバに検索要求する手段と、検索結果の入替候補文字及び同類の入替文字情報を表示し、確認されると、ユーザ端末に入替候補文字情報及びそれらと同類の入替文字情報を送信し、或いは入替候補文字情報及びそれらと同類の入替文字情報を印刷させる手段を備えたことを特徴とする入替文字提供サービスシステム。
【請求項５】
前記新字形情報、旧字形情報を、９０年版ＪＩＳにより変更された新字形情報、旧字形情報とすることを特徴とする請求項１乃至４の何れかに記載の入替文字提供サービスシステム。
【請求項６】
字形が変更された各文字について、文字コードと新字形情報と旧字形情報とを対応付けて記憶する入替文字データベース記憶部と、検索要求を受信すると、それに伴う文字コードで前記入替文字データベース記憶部を検索し、対応する新旧字形情報を入替候補文字情報として返信する手段とを備えたことを特徴とする入替文字提供サーバ。
【請求項７】
字形が変更された各文字について、文字コードと新字形情報と旧字形情報とを対応付け、且つ、変更された部首が同じ文字同士をグループ化して記憶する入替文字データベース記憶部と、検索要求に伴う文字コードで前記入替文字データベース記憶部を検索し、対応する新旧字形情報を入替候補文字情報として、更に  前記文字コードが属するグループの文字の新旧字形を含む情報を、同類の入替文字情報として返信する手段とを備えたことを特徴とする入替文字提供サーバ。
【請求項８】
前記新字形情報、旧字形情報を、９０年版ＪＩＳにより変更された新字形情報、旧字形情報とすることを特徴とする請求項６、又は７記載の入替文字提供サーバ。
【請求項９】
ユーザより受けたキーとなる文字情報を入力して文字コードを指定し、それらの入替文字情報を記憶した装置に検索要求する手段と、検索結果の入替候補文字情報を表示し、確認されると入替候補文字情報を印刷させる手段を備えたことを特徴とする提供者端末。
【請求項１０】
ユーザより受けたキーとなる文字情報を入力して文字コードを指定し、それらの入替文字情報を記憶した装置に検索要求する手段と、検索結果として受信した入替候補文字及び同類の入替文字情報を表示し、確認されると入替候補文字情報及びそれらと同類の入替文字情報を印刷させる手段を備えたことを特徴とする提供者端末。
【請求項１１】
ネットワークを通じユーザ端末から受信したキーとなる文字情報を取得して、或いはユーザより受けたキーとなる文字情報を入力して、文字コードを指定し、それらの入替文字情報を記憶した装置に検索要求する手段と、検索結果の入替候補文字情報を表示し、確認されると、ユーザ端末に入替候補文字情報を送信し、或いは入替候補文字情報を印刷させる手段を備えたことを特徴とする提供者端末。
【請求項１２】
ネットワークを通じユーザ端末から受信したキーとなる文字情報を取得して、或いはユーザより受けた文字情報を入力して、文字コードを指定し、それらの入替文字情報を記憶した装置に検索要求する手段と、検索結果の入替候補文字及び同類の入替文字情報を表示し、確認されると、ユーザ端末に入替候補文字情報及びそれらと同類の入替文字情報を送信し、或いは入替候補文字情報及びそれらと同類の入替文字情報を印刷させる手段を備えたことを特徴とする提供者端末。
【請求項１３】
前記キーとなる文字情報に９０年版ＪＩＳにより変更された新字形情報を含み、入替文字情報に、９０年版ＪＩＳにより変更され旧となった字形情報を含むことを特徴とする請求項９乃至１２の何れかに記載の提供者端末。
【請求項１４】
検索要求を受信するとそれに伴う文字コードを用いて、
字形が変更された各文字について、文字コードと新字形情報と旧字形情報とを対応付けて記憶する入替文字データベース記憶部を検索する手順と、
対応する新旧字形情報を入替候補文字として返信する手順とをコンピュータに実行させるためのプログラム。
【請求項１５】
検索要求に伴う文字コードを用いて、
字形が変更された各文字について、文字コードと新字形情報と旧字形情報とを対応付け、且つ、変更された部首が同じ文字同士をグループ化して記憶する入替文字データベース記憶部を検索する手順と、
対応する新旧字形情報を入替候補文字として、更に  前記文字コードが属するグループの文字の新旧字形を含む情報を、同類の入替文字情報として返信する手順とをコンピュータに実行させるためのプログラム。
【請求項１６】
ユーザより受けたキーとなる文字情報を入力して文字コードを指定し、それらの入替文字情報を記憶した装置に検索要求する手順と、検索結果として受信した入替候補文字及び同類の入替文字情報を表示し、確認されると入替候補文字情報及びそれらと同類の入替文字情報を印刷させる手順とをコンピュータに実行させるためのプログラム。
【請求項１７】
ネットワークを通じユーザ端末から受信したキーとなる文字情報を取得して、或いはユーザより受けたキーとなる文字情報を入力して、文字コードを指定し、それらの入替文字情報を記憶した装置に検索要求する手順と、検索結果の入替候補文字及び同類の入替文字情報を表示し、確認されると、ユーザ端末に入替候補文字情報及びそれらと同類の入替文字情報を送信し、或いは入替候補文字情報及びそれらと同類の入替文字情報を印刷させる手順とをコンピュータに実行させるためのプログラム。
【請求項１８】
ユーザよりキーとなる文字情報を受けその入替文字情報を提供する入替文字提供サービス方法であって、
字形が変更された各文字について、文字コードと新字形情報と旧字形情報とを対応付けて入替文字データベース記憶部に登録する手順と
ユーザより受けたキーとなる文字情報を入力して文字コードを指定し、前記入替文字データベース記憶部を検索する手順と、
検索結果の新旧の字形情報を入替候補文字情報として表示し、確認されると入替候補文字情報をユーザに送信する、或いは入替候補文字情報を印刷しユーザに送付する手順を
含むことを特徴とする入替文字提供サービス方法。
【請求項１９】
ユーザよりキーとなる文字情報を受け、その入替文字及び形状変更部首が前記入替文字と共通している文字情報を提供する入替文字提供サービス方法であって、
字形が変更された各文字について、文字コードと新字形情報と旧字形情報とを対応付け、且つ、変更された部首が同じ文字同士をグループ化して、入替文字データベース記憶部に記憶する手順と、
ユーザより受けたキーとなる文字情報を入力して文字コードを指定し、入替文字データベース記憶部を検索する手順と、
検索結果の新旧の字形情報を入替候補文字情報として表示し、更に、同類の入替文字情報を表示し、確認されると入替候補文字情報及びそれらと同類の入替文字情報をユーザに送信する、或いはこれら情報を印刷しユーザに送付する手順を
含むことを特徴とする入替文字提供サービス方法。
【請求項２０】
ユーザよりキーとなる文字情報を受けその入替文字情報を提供する入替文字提供サービス方法であって、
字形が変更された各文字について、文字コードと新字形情報と旧字形情報とを対応付けて入替文字データベース記憶部に登録する手順と
ユーザ端末よりキーとなる文字情報を受信して、或いはユーザより受けたキーとなる文字情報を入力して、文字コードを指定し、前記入替文字データベース記憶部を検索する手順と、
検索結果の新旧の字形情報を入替候補文字情報として表示し、確認されると入替候補文字情報をユーザ端末に送信する、或いは入替候補文字情報を印刷しユーザに送付する手順を含むことを特徴とする入替文字提供サービス方法。
【請求項２１】
ユーザよりキーとなる文字情報を受け、その入替文字及び形状変更部首が前記入替文字と共通している文字情報を提供する入替文字提供サービス方法であって、
字形が変更された各文字について、文字コードと新字形情報と旧字形情報とを対応付け、且つ、変更された部首が同じ文字同士をグループ化して、入替文字データベース記憶部に記憶する手順と、
ユーザ端末よりキーとなる文字情報を受信して、或いはユーザより受けたキーとなる文字情報を入力して、文字コードを指定し、入替文字データベース記憶部を検索する手順と、検索結果の新旧の字形情報を入替候補文字情報として表示し、更に同類の入替文字情報を表示し、確認されると入替候補文字情報及びそれらと同類の入替文字情報をユーザ端末に送信する、或いはこれら情報を印刷しユーザに送付する手順を
含むことを特徴とする入替文字提供サービス方法。
【請求項２２】
前記新字形情報、旧字形情報を、９０年版ＪＩＳにより変更された新字形情報、旧字形情報とすることを特徴とする請求項１８乃至２１の何れかに記載の入替文字提供サービス方法。
【発明の詳細な説明】
【技術分野】
【０００１】
本発明は、入替文字提供サービスシステムと方法、入替文字提供サーバ、提供者端末、及びプログラム関し、特に、規格改正等で正式字形が変更された文字の新字体、旧字体情報をユーザに提供出来る入替文字提供サービスシステムと方法、入替文字提供サーバ、提供者端末、及びプログラムに関する。
【背景技術】
【０００２】
ＪＩＳの定義する情報交換用日本語２バイト文字セットにはいくつか種類があるが、中でもＪＩＳ  Ｃ  ６２２６−１９７８（通称７８年版ＪＩＳ、以下７８ＪＩＳ）とＪＩＳ  Ｘ  ０２０８：１９９０（通称９０年版ＪＩＳ、以下９０ＪＩＳ）が広く利用されている。
【０００３】
この２つの規格は７８ＪＩＳが改正されて９０ＪＩＳになったという関係にあるが、一部の文字の例示字形が変更になっている。
【０００４】
この例示字形の変更は、人名や地名でその文字を利用するエンドユーザーにとっては重要な問題である。
【０００５】
例えばシステム全体は９０ＪＩＳ準拠で利用しながらも、住居表示の際等に特定の文字は７８ＪＩＳに準拠した字形が必要になる場合がある。
【０００６】
この様な、新字形と旧字形の両方で文書作成が出来る様にした文書処理装置がある。
【０００７】
この文書処理装置は、所定文字について新旧字形の文字パターンをキャラクタジェネレータ（ＣＧ）に記憶し、ＲＯＭに含まれるカナ漢字変換テーブルには所定文字のよみの入力に対して新字形を第１候補として表示し、選択されなければ旧字形を第２候補として表示する。
【０００８】
これにより、カナ漢字変換を行いながら文書作成する際に旧字形も容易に選択できる様にした文書処理装置である（特許文献１参照。）。
【０００９】
【特許文献１】特開平２−８９５５号公報（第３頁）
【発明の開示】
【発明が解決しようとする課題】
【００１０】
上記文書処理装置は旧字形も選択して文書を作成できるが、例えば、９０ＪＩＳによりそれまでの字形が旧字形となった漢字はどの様な漢字が有るのかといった情報を提供する装置ではない。
【００１１】
即ち、改正前に作成されたデータやデータベースを元にするが、地名や氏名は旧字形で出力したい場合に、上記文書処理装置では対応出来ない。
【００１２】
従って、入替文字に関する情報（その文字には類似する旧字形も存在するのか、存在する場合の字形、新字形との相違等）、や入替文字に関する作業に対するニーズは依然として存在する。
【００１３】
また、ユーザーが入替希望文字（入れ替えられる対象文字）を入力し、それと同類の字形変更された文字情報をユーザに教える手段を持っていない。
【００１４】
また、本発明で取り上げる入替文字に関する作業は、同一文字コードに例えば、７８ＪＩＳと９０ＪＩＳの２つの例示字形を表示して作業を行う必要がある。
【００１５】
そのためエンドユーザーで作業を行うよりも、専用の作業環境を備えたサービス提供者にて作業を行う方が、より正確で効率的に作業を行うことができる。
【課題を解決するための手段】
【００１６】
本発明の第１の入替文字提供サービスシステムは、入替文字提供サーバと、これに通信接続された提供者端末と、提供者端末に通信接続或いは接続された印刷装置を含み、ユーザよりキーとなる文字情報を受けその入替文字情報を提供する入替文字提供サービスシステムであって、前記入替文字提供サーバは、字形が変更された各文字について、文字コードと新字形情報と旧字形情報とを対応付けて記憶する入替文字データベース記憶部と、検索要求を受信すると、それに伴う文字コードで前記入替文字データベース記憶部を検索し、対応する新旧字形情報を入替候補文字情報として返信する手段とを備え、前記提供者端末は、ユーザより受けたキーとなる文字情報を入力して文字コードを指定し、前記入替文字提供サーバに検索要求する手段と、検索結果の入替候補文字情報を表示し、確認されると入替候補文字情報を印刷させる手段を備えたことを特徴とする。
【００１７】
本発明の第２の入替文字提供サービスシステムは、入替文字提供サーバと、これに通信接続された提供者端末と、提供者端末に通信接続或いは接続された印刷装置を含み、ユーザよりキーとなる文字情報を受け、その入替文字及び形状変更部首が前記入替文字と共通している文字情報を提供する入替文字提供サービスシステムであって、前記入替文字提供サーバは、字形が変更された各文字について、文字コードと新字形情報と旧字形情報とを対応付け、且つ、変更された部首が同じ文字同士をグループ化して記憶する入替文字データベース記憶部と、検索要求に伴う文字コードで前記入替文字データベース記憶部を検索し、対応する新旧字形情報を入替候補文字として、更に  前記文字コードが属するグループの文字の新旧字形を含む情報を、同類の入替文字情報として返信する手段とを備え、前記提供者端末は、ユーザより受けたキーとなる文字情報を入力して文字コードを指定し、入替文字提供サーバに検索要求する手段と、検索結果の入替候補文字及び同類の入替文字情報を表示し、確認されると入替候補文字情報及びそれらと同類の入替文字情報を印刷させる手段を備えたことを特徴とする。
【００１８】
本発明の第３の入替文字提供サービスシステムは、入替文字提供サーバと、これに通信接続された提供者端末と、提供者端末に通信接続或いは接続された印刷装置と、提供者端末とネットワークで接続されたユーザ端末を含み、ユーザよりキーとなる文字情報を受けその入替文字情報を提供する入替文字提供サービスシステムであって、前記入替文字提供サーバは、字形が変更された各文字について、文字コードと新字形情報と旧字形情報とを対応付けて記憶する入替文字データベース記憶部と、検索要求を受信すると、それに伴う文字コードで前記入替文字データベース記憶部を検索し、対応する新旧字形情報を入替候補文字情報として返信する手段とを備え、前記提供者端末は、前記ユーザ端末から受信したキーとなる文字情報を取得して、或いはユーザより受けたキーとなる文字情報を入力して、文字コードを指定し、前記入替文字提供サーバに検索要求する手段と、検索結果の入替候補文字情報を表示し、確認されると、ユーザ端末に入替候補文字情報を送信し、或いは入替候補文字情報を印刷させる手段を備えたことを特徴とする。
【００１９】
本発明の第４の入替文字提供サービスシステムは、入替文字提供サーバと、これに通信接続された提供者端末と、提供者端末に通信接続或いは接続された印刷装置と、提供者端末とネットワークで接続されたユーザ端末を含み、ユーザよりキーとなる文字情報を受け、その入替文字及び形状変更部首が前記入替文字と共通している文字情報を提供する入替文字提供サービスシステムであって、前記入替文字提供サーバは、字形が変更された各文字について、文字コードと新字形情報と旧字形情報とを対応付け、且つ、変更された部首が同じ文字同士をグループ化して記憶する入替文字データベース記憶部と、検索要求に伴う文字コードで前記入替文字データベース記憶部を検索し、対応する新旧字形情報を入替候補文字として、更に  前記文字コードが属するグループの文字の新旧字形を含む情報を、同類の入替文字情報として返信する手段とを備え、前記提供者の端末は、前記ユーザ端末からキーとなる文字情報を取得して、或いはユーザより受けたキーとなる文字情報を入力して、文字コードを指定し、入替文字提供サーバに検索要求する手段と、検索結果の入替候補文字及び同類の入替文字情報を表示し、確認されると、ユーザ端末に入替候補文字情報及びそれらと同類の入替文字情報を送信し、或いは入替候補文字情報及びそれらと同類の入替文字情報を印刷させる手段を備えたことを特徴とする。
【００２０】
本発明の第５の入替文字提供サービスシステムは、前記第１乃至第４の何れかの入替文字提供サービスシステムであって、前記新字形情報、旧字形情報を、９０年版ＪＩＳにより変更された新字形情報、旧字形情報とすることを特徴とする。
【００２１】
本発明の第１の入替文字提供サーバは、字形が変更された各文字について、文字コードと新字形情報と旧字形情報とを対応付けて記憶する入替文字データベース記憶部と、検索要求を受信すると、それに伴う文字コードで前記入替文字データベース記憶部を検索し、対応する新旧字形情報を入替候補文字情報として返信する手段とを備えたことを特徴とする。
【００２２】
本発明の第２の入替文字提供サーバは、字形が変更された各文字について、文字コードと新字形情報と旧字形情報とを対応付け、且つ、変更された部首が同じ文字同士をグループ化して記憶する入替文字データベース記憶部と、検索要求に伴う文字コードで前記入替文字データベース記憶部を検索し、対応する新旧字形情報を入替候補文字情報として、更に  前記文字コードが属するグループの文字の新旧字形を含む情報を、同類の入替文字情報として返信する手段とを備えたことを特徴とする。
【００２３】
本発明の第３の入替文字提供サーバは、前記第１、又は第２の入替文字提供サーバであって、前記新字形情報、旧字形情報を、９０年版ＪＩＳにより変更された新字形情報、旧字形情報とすることを特徴とする。
【００２４】
本発明の第１の提供者端末は、ユーザより受けたキーとなる文字情報を入力して文字コードを指定し、それらの入替文字情報を記憶した装置に検索要求する手段と、検索結果の入替候補文字情報を表示し、確認されると入替候補文字情報を印刷させる手段を備えたことを特徴とする。
【００２５】
本発明の第２の提供者端末は、ユーザより受けたキーとなる文字情報を入力して文字コードを指定し、それらの入替文字情報を記憶した装置に検索要求する手段と、検索結果として受信した入替候補文字及び同類の入替文字情報を表示し、確認されると入替候補文字情報及びそれらと同類の入替文字情報を印刷させる手段を備えたことを特徴とする。
【００２６】
本発明の第３の提供者端末は、ネットワークを通じユーザ端末から受信したキーとなる文字情報を取得して、或いはユーザより受けたキーとなる文字情報を入力して、文字コードを指定し、それらの入替文字情報を記憶した装置に検索要求する手段と、検索結果の入替候補文字情報を表示し、確認されると、ユーザ端末に入替候補文字情報を送信し、或いは入替候補文字情報を印刷させる手段を備えたことを特徴とする。
【００２７】
本発明の第４の提供者端末は、ネットワークを通じユーザ端末から受信したキーとなる文字情報を取得して、或いはユーザより受けた文字情報を入力して、文字コードを指定し、それらの入替文字情報を記憶した装置に検索要求する手段と、検索結果の入替候補文字及び同類の入替文字情報を表示し、確認されると、ユーザ端末に入替候補文字情報及びそれらと同類の入替文字情報を送信し、或いは入替候補文字情報及びそれらと同類の入替文字情報を印刷させる手段を備えたことを特徴とする。
【００２８】
本発明の第５の提供者端末は、前記第１乃至第４の何れかの提供者端末であって、前記キーとなる文字情報に９０年版ＪＩＳにより変更された新字形情報を含み、入替文字情報に、９０年版ＪＩＳにより変更され旧となった字形情報を含むことを特徴とする。
【００２９】
本発明の第１のプログラムは、検索要求を受信するとそれに伴う文字コードを用いて、字形が変更された各文字について、文字コードと新字形情報と旧字形情報とを対応付けて記憶する入替文字データベース記憶部を検索する手順と、対応する新旧字形情報を入替候補文字として返信する手順とをコンピュータに実行させる。
【００３０】
本発明の第２のプログラムは、検索要求に伴う文字コードを用いて、字形が変更された各文字について、文字コードと新字形情報と旧字形情報とを対応付け、且つ、変更された部首が同じ文字同士をグループ化して記憶する入替文字データベース記憶部を検索する手順と、対応する新旧字形情報を入替候補文字として、更に  前記文字コードが属するグループの文字の新旧字形を含む情報を、同類の入替文字情報として返信する手順とをコンピュータに実行させる。
【００３１】
本発明の第３のプログラムは、ユーザより受けたキーとなる文字情報を入力して文字コードを指定し、それらの入替文字情報を記憶した装置に検索要求する手順と、検索結果として受信した入替候補文字及び同類の入替文字情報を表示し、確認されると入替候補文字情報及びそれらと同類の入替文字情報を印刷させる手順とをコンピュータに実行させる。
【００３２】
本発明の第４のプログラムは、ネットワークを通じユーザ端末から受信したキーとなる文字情報を取得して、或いはユーザより受けたキーとなる文字情報を入力して、文字コードを指定し、それらの入替文字情報を記憶した装置に検索要求する手順と、検索結果の入替候補文字及び同類の入替文字情報を表示し、確認されると、ユーザ端末に入替候補文字情報及びそれらと同類の入替文字情報を送信し、或いは入替候補文字情報及びそれらと同類の入替文字情報を印刷させる手順とをコンピュータに実行させる。
【００３３】
本発明の第１の入替文字提供サービス方法は、ユーザよりキーとなる文字情報を受けその入替文字情報を提供する入替文字提供サービス方法であって、字形が変更された各文字について、文字コードと新字形情報と旧字形情報とを対応付けて入替文字データベース記憶部に登録する手順とユーザより受けたキーとなる文字情報を入力して文字コードを指定し、前記入替文字データベース記憶部を検索する手順と、検索結果の新旧の字形情報を入替候補文字情報として表示し、確認されると入替候補文字情報をユーザに送信する、或いは入替候補文字情報を印刷しユーザに送付する手順を含むことを特徴とする。
【００３４】
本発明の第２の入替文字提供サービス方法は、ユーザよりキーとなる文字情報を受け、その入替文字及び形状変更部首が前記入替文字と共通している文字情報を提供する入替文字提供サービス方法であって、字形が変更された各文字について、文字コードと新字形情報と旧字形情報とを対応付け、且つ、変更された部首が同じ文字同士をグループ化して、入替文字データベース記憶部に記憶する手順と、ユーザより受けたキーとなる文字情報を入力して文字コードを指定し、入替文字データベース記憶部を検索する手順と、検索結果の新旧の字形情報を入替候補文字情報として表示し、更に、同類の入替文字情報を表示し、確認されると入替候補文字情報及びそれらと同類の入替文字情報をユーザに送信する、或いはこれら情報を印刷しユーザに送付する手順を含むことを特徴とする。
【００３５】
本発明の第３の入替文字提供サービス方法は、ユーザよりキーとなる文字情報を受けその入替文字情報を提供する入替文字提供サービス方法であって、字形が変更された各文字について、文字コードと新字形情報と旧字形情報とを対応付けて入替文字データベース記憶部に登録する手順とユーザ端末よりキーとなる文字情報を受信して、或いはユーザより受けたキーとなる文字情報を入力して、文字コードを指定し、前記入替文字データベース記憶部を検索する手順と、検索結果の新旧の字形情報を入替候補文字情報として表示し、確認されると入替候補文字情報をユーザ端末に送信する、或いは入替候補文字情報を印刷しユーザに送付する手順を含むことを特徴とする。
【００３６】
本発明の第４の入替文字提供サービス方法は、ユーザよりキーとなる文字情報を受け、その入替文字及び形状変更部首が前記入替文字と共通している文字情報を提供する入替文字提供サービス方法であって、字形が変更された各文字について、文字コードと新字形情報と旧字形情報とを対応付け、且つ、変更された部首が同じ文字同士をグループ化して、入替文字データベース記憶部に記憶する手順と、ユーザ端末よりキーとなる文字情報を受信して、或いはユーザより受けたキーとなる文字情報を入力して、文字コードを指定し、入替文字データベース記憶部を検索する手順と、検索結果の新旧の字形情報を入替候補文字情報として表示し、更に同類の入替文字情報を表示し、確認されると入替候補文字情報及びそれらと同類の入替文字情報をユーザ端末に送信する、或いはこれら情報を印刷しユーザに送付する手順を含むことを特徴とする。
【００３７】
本発明の第５の入替文字提供サービス方法は、前記第１乃至第４の何れかの入替文字提供サービス方法であって、前記新字形情報、旧字形情報を、９０年版ＪＩＳにより変更された新字形情報、旧字形情報とすることを特徴とする。
【発明の効果】
【００３８】
本発明によれば、文字の字形が変更に対応した入替文字の類似例のデータベースを持つので、エンドユーザが文字の字形が変更の詳細を知らなくても、変更された文字情報や、必要な旧字形情報をエンドユーザーに提供できる。
【００３９】
又、サービス提供者が行うエンドユーザーから入手した入替文字の確認作業が、データベースから提示される候補文字と突き合わせることにより、正確になる。
【発明を実施するための最良の形態】
【００４０】
次に、本発明を実施するための最良の形態について図面を参照して詳細に説明する。図１は本発明の第１の実施形態の入替文字提供サービスシステムの全体構成を示したブロック図である。
【００４１】
図１を参照し、入替文字提供サービスシステムは、提供者側に、入替文字提供サーバ２０と、これにＬＡＮ１００等で通信接続された提供者端末１０、印刷装置４０とを備え、ユーザより、キーとなる文字情報を受け、その入替文字（字形）を提供する。
【００４２】
提供者端末１０は、プログラム制御で動作する情報処理装置であり、例えばディスプレイ、入力装置（キーボードとマウス等）、通信手段を備えたパーソナルコンピュータ等である。
【００４３】
提供者端末１０は、エンドユーザーが提示するキーとなる文字情報を、入力画面を通じて入力させ、文字コードを取得し、それで入替文字提供サーバ２０に検索要求する手段と、入替文字提供サーバ２０から返信された入替候補文字（新字形データ、旧字形データ）、を表示し、確認応答入力を受けると、これらの入替候補文字情報の印刷を印刷装置４０に指示する結果確認手段を有する。
【００４４】
又、入替文字データベースを作成し、またこれの更新を指示するデータベース登録更新指示手段を有し、この手段により入替文字提供サーバ２０の更新処理手段を通じて、入替文字データベースを入替文字提供サーバ２０の補助記憶装置に登録し、また更新する。
【００４５】
入替文字提供サーバ２０は、ワークステーション・サーバ等の情報処理装置によって構成され、プログラム制御で動作し、ハードディスク装置等の補助記憶装置も接続されている。
【００４６】
検索要求する手段、結果確認手段、データベース登録更新指示手段は、好適には提供者端末１０のプログラムで実現する。
【００４７】
入替文字提供サーバ２０は、提供者端末１０から検索要求を受け、入替文字データベース記憶部３０を検索し、入替候補文字を提供者端末１０へ送信する入替文字検索処理手段と、入替文字データベースを保守する為の更新処理手段を有する。
【００４８】
入替文字検索処理手段、更新処理手段は、好適には入替文字提供サーバ２０のプログラムで実現する。
【００４９】
次に、入替文字データベース記憶部３０の内容例を図２に示す。この様に、入替文字はその新旧の字形の相違する部首により、Ａ、Ｂ、Ｃ、Ｄ、・・といったグループに分けることができる。
【００５０】
エンドユーザーからＳ−ＪＩＳ（シフトＪＩＳ）コード「８Ｂ４１」のみが入替希望文字として提示されて、Ｓ−ＪＩＳコード「９４Ｃ７」が提示されていないとき、この２つの文字は同じグループＡと分類されているため、エンドユーザーにおいてもＳ−ＪＩＳコード「９４Ｃ７」は入れ替えられるべき文字である可能性が高い。
【００５１】
そこで、この場合Ｓ−ＪＩＳコード「９４Ｃ７」を入替候補文字としてエンドユーザーに提示するのが本発明の基本的な考え方である。
【００５２】
本構成において、提供者端末１０と入替文字提供サーバ２０は直接接続されずに、インターネット経由で接続するように構成してもよい。
【００５３】
次に図１の入替文字提供サービスシステムの動作を図３に示す流れ図を使用して説明する。
【００５４】
図３を参照し、サービス提供者は、提供者端末１０の検索要求手段（前記の検索要求する手段）を起動し、表示された入力画面に対して、エンドユーザーから示された任意の、キーとなる文字を入力する（ステップＡ１）。
【００５５】
提供者端末１０の検索要求手段は入替文字提供サーバ２０にアクセスし、Ｓ−ＪＩＳコード等の文字コードを伴って、類似する入替文字の検索要求を入替文字提供サーバ２０に送信する（ステップＡ２）。
【００５６】
入替文字提供サーバ２０は、検索要求を受信すると前記文字コードで、格納している入替文字データベース記憶部３０を検索する（ステップＡ３）。
【００５７】
指示された文字コードが９０ＪＩＳ及び７８ＪＩＳの新及び旧の字形を持つコードであれば、これらの字形データを検索結果として提供者端末１０へ送出する（ステップＡ４）。
【００５８】
ここで該当しない文字コード（新旧の複数の字形を持たずデータベースに登録されてないコード）であれば、「入替文字は有りません」等を返す。
【００５９】
提供者端末１０の結果確認手段は、「新字形」、「旧字形」の欄名表示を行って、受信した新字形、旧字形データ（ビットマップデータ等）を対応位置に表示する（ステップＡ５）。
【００６０】
サービス提供者は、ユーザより提示されたキーとなる文字情報に字形データが付属していれば、これと各列の新字形の表示が同じであることを確認し、確認応答アイコンを操作する。
【００６１】
これを受けて、結果確認手段は、表示されている入替文字候補情報を印刷装置４０に送信し、印刷を指示する（ステップＡ６）。
【００６２】
提供者は、印刷物を解像度の高いファクシミリで送信するか或いは郵送しエンドユーザーに提示し、必要な入替文字の確認を行う（ステップＡ７）。
【００６３】
次に、本発明の第２の実施例について説明する。その構成概要は上記第１の実施例と同様であるが、入替文字の確認方法について更に工夫しており、入替文字提供サーバ２０の入替文字検索処理手段、提供者端末１０の結果確認手段が追加機能を有している。
【００６４】
本発明の第２の実施例の動作を図４に示す流れ図を使用して説明する。
【００６５】
図４において、サービス提供者は提供者端末１０の検索要求手段を起動し、表示された入力画面に対して、エンドユーザーから示された全ての、キーとなる文字を入力する（ステップＢ１）。
【００６６】
提供者端末１０の検索要求手段は入替文字提供サーバ２０にアクセスし、Ｓ−ＪＩＳコード等の文字コードを伴って、類似する入替文字の検索要求を入替文字提供サーバ２０に送信する（ステップＢ２）。
【００６７】
入替文字提供サーバ２０は、類似する入替文字の検索要求を受信すると、格納している入替文字データベース記憶部３０を指定された文字コードをキーとして検索し（ステップＢ３）、類似する入替文字候補（指定された文字コードの新及び旧字形）とグループＩＤを取得する。
【００６８】
次にグループＩＤをキーとしてこの入替文字候補と同グループの各入替文字情報（文字コード、新及び旧字形）を取得する。即ち、指定された文字コード以外の各入替文字情報抽出する（ステップＢ４）。
【００６９】
その検索結果の入替文字候補と、前記同グループの入替文字情報とを、区別して、両者を提供者端末１０へ送信する（ステップＢ５）。
【００７０】
提供者端末１０の結果確認手段は、前記欄名表示を行って、受信した入替文字候補情報の新字形、旧字形データ表示を行い、これと区分けして同グループの入替文字情報を表示する（ステップＢ６）。
【００７１】
サービス提供者が、入替文字候補情報の確認をし、応答入力の操作をすると、結果確認手段は、表示している入替文字候補情報、及びこれと同グループの（同類の）入替文字情報とを印刷装置４０に送信し、印刷を指示する（ステップＢ７）。
【００７２】
提供者は印刷物をエンドユーザーに提示し、入替文字の確認漏れがないか確認を行う（ステップＢ８）。
【００７３】
この様に、第２の実施例では、エンドユーザーに示されたキーとなる文字を全て入力して検索を行い、入替文字データベース記憶部３０にある同類の入替候補文字で未だ入力されていない文字を提示している。
【００７４】
即ち、サービス提供者が、エンドユーザーからキーとなる文字の全てを入手しなくても、類似する入替文字の候補をエンドユーザーに提供できる。
【００７５】
これによりエンドユーザーでの入替文字リストの完成を待たずに、その一部から候補リストを逆にエンドユーザーに提示することで、エンドユーザー側の作業効率を上げることができる。
【００７６】
次に、本発明の第２の実施形態の入替文字提供サービスシステムについて図面を参照して説明する。
【００７７】
図５は本発明の第２の実施形態の入替文字提供サービスシステムの全体構成を示したブロック図で、提供者端末１０は、ＬＡＮ１００及びルータ等の接続装置５０を介してインターネット１０１でユーザ端末６０と通信接続されている。
【００７８】
提供者端末１０には、ユーザとの通信処理手段としてメーラを備えている。
【００７９】
提供者端末１０は、ユーザ端末６０より、要求通知メールを受信すると、情報提供要求用のテンプレートメールをユーザ端末６０に返信し、ユーザ端末６０にてキーとなる文字情報を本文の所定欄に記入し、必要に応じ、キーとなる文字の字形データ（ビットマップファイル等）を添付し返信する。
【００８０】
提供者端末１０のユーザとの通信処理手段は、記入されたメールを受信すると、メールのタイトルにより情報提供要求メールであることを検知し、検索要求手段に、キーとなる文字情報と、添付ファイル、メール識別を渡す。
【００８１】
以降、検索要求手段がキーとなる文字情報を伴い、入替文字提供サーバ２０に検索要求し、又、添付ファイルと、メーラによる要求である旨と、メール識別を結果確認手段に渡しておく。
【００８２】
結果確認手段が、入替文字提供サーバ２０より返信された検索結果情報を表示し、同時に添付ファイルの字形データも表示し、添付ファイルの字形と、受信した新字形とが同じであることを提供者に確認させる。
【００８３】
結果確認手段は提供者の確認応答入力を受けると、メーラによる要求を示すフラグをチェックし、これがセットされていれば、画面に表示している入替文字候補情報、或いはこれ及び同類の入替文字候補情報をＰＤＦ（Ｐｏｒｔａｂｌｅ  Ｄｏｃｕｍｅｎｔ  Ｆｏｒｍａｔ）等のイメージデータファイルとして、受け取っていたメール識別と共にユーザとの通信処理手段に渡す。
【００８４】
ユーザとの通信処理手段は、メール識別で指定される受信メールの発信メールアドレスを取得し、これを結果送信用メールのテンプレートの送信先アドレスに埋め込んで、更にＰＤＦ等のイメージデータファイルを添付してユーザ端末６０に送信する（ＬＡＮ、或いはインターネット上のメールサーバに送信依頼する）。
【００８５】
結果確認手段は、上記チェックで、メーラによる要求を示すフラグがセットされていなければ、入替文字候補情報、或いはこれ及び同類の入替文字候補情報を印刷装置４０に送信し、印刷させる。
【００８６】
この様に、本実施形態では、ユーザの環境に応じた形でサービスするので、ユーザ数を増加させ、またサービス提供側もマニュアル工数を削減出来る。
【図面の簡単な説明】
【００８７】
【図１】本発明の第１の実施形態の入替文字提供サービスシステムの全体構成を示したブロック図。
【図２】図１の入替文字データベース記憶部３０の内容例を示した図。
【図３】第１実施形態の入替文字提供サービスシステムの第１実施例の動作を示した流れ図。
【図４】第１実施形態の入替文字提供サービスシステムの第２実施例の動作を示した流れ図。
【図５】本発明の第２実施形態の入替文字提供サービスシステムの全体構成を示したブロック図。
【符号の説明】
【００８８】
１０    提供者端末
２０    入替文字提供サーバ
３０    入替文字データベース記憶部
４０    印刷装置
５０    接続装置
６０    ユーザ端末
１００    ＬＡＮ
１０１    インターネット
【図１】
2005242434.tif 000003
【図２】
2005242434.tif 000004
【図３】
2005242434.tif 000005
【図４】
2005242434.tif 000006
【図５】
2005242434.tif 000007